(57)【要約】  設計の自由度の高いアンテナを提供する。  本体（１２ａ）は、絶縁体層が積層されて構成されている。グランド導体（２６）は、接地電位が印加される。線状導体（２４）は、高周波信号が伝送され、グランド導体（２６）と共にマイクロストリップラインを構成している。放射導体（１６）は、線状導体（２４）とグランド導体（２６）との間に接続され、かつ、線状導体（２４）が接続されている点とグランド導体（２６）が接続されている点との間において線状導体（２４）の線幅よりも広い線幅を有しており、電界を放射する。
2011004656.tif 000002
【特許請求の範囲】
【請求項１】
接地電位が印加されるグランド導体と、
高周波信号が伝送される線状導体と、
前記グランド導体と前記線状導体との間を絶縁する絶縁体層と、
前記線状導体と前記グランド導体との間に接続され、かつ、該線状導体が接続されている点と該グランド導体が接続されている点との間において該線状導体の線幅よりも広い線幅を有している放射導体であって、電界を放射する放射導体と、
を備えていること、
を特徴とするアンテナ。
【請求項２】
前記線状導体及び前記放射導体は、前記絶縁体層を介して前記グランド導体に対向しており、
前記放射導体と前記グランド導体との間の距離は、前記線状導体と該グランド導体との間の距離よりも大きいこと、
を特徴とする請求項１に記載のアンテナ。
【請求項３】
前記グランド導体と前記放射導体との間に設けられている前記絶縁体層の数は、前記グランド導体と前記線状導体との間に設けられている前記絶縁体層の数よりも多いこと、
を特徴とする請求項２に記載のアンテナ。
【請求項４】
前記グランド導体は、前記放射導体の法線方向から平面視したときに、該放射導体と重なる部分には設けられていないこと、
を特徴とする請求項１に記載のアンテナ。
【請求項５】
前記放射導体が有しているリアクタンスは、前記線状導体が有しているリアクタンスよりも大きいこと、
を特徴とする請求項１ないし請求項４のいずれかに記載のアンテナ。
【請求項６】
前記線状導体に接続されている第１の端子と、
前記グランド導体に接続されている第２の端子と、
を更に備えていること、
を特徴とする請求項１ないし請求項５のいずれかに記載のアンテナ。
【請求項７】
前記グランド導体と前記線状導体とは、マイクロストリップライン構造をなしていること、
を特徴とする請求項１ないし請求項６のいずれかに記載のアンテナ。
【請求項８】
前記放射導体は、前記線状導体よりも広い面積を有していること、
を特徴とする請求項１ないし請求項７のいずれかに記載のアンテナ。
【請求項９】
前記線状導体は、複数本で並列に接続されていること、
を特徴とする請求項１ないし請求項８のいずれかに記載のアンテナ。
【発明の詳細な説明】
【技術分野】
【０００１】
本発明は、アンテナ、より特定的には、ＵＨＦ帯やＳＨＦ帯の高周波信号の無線通信に用いられるアンテナに関する。
【背景技術】
【０００２】
従来のアンテナとしては、例えば、特許文献１に記載の通信システムに用いられているアンテナが知られている。以下に、図面を参照しながら、特許文献１に記載のアンテナについて説明する。図１７は、特許文献１に記載の通信システム５００のブロック図である。図１８は、図１７の通信システム５００に用いられているアンテナ５２０，５５０の透視図である。図１９は、図１８のアンテナ５２０の等価回路図である。【０００３】
特許文献１に記載の通信システム５００は、高周波信号を電界結合により伝送することによって、大容量伝送が可能なシステムである。具体的には、ＵＷＢ（Ｕｌｔｒａ  Ｗｉｄｅ  Ｂａｎｄ）通信のように高周波、広帯域を使用する通信方式を電界結合に適用することで、微弱無線であると共に、大容量データ通信を実現している。該通信システム５００は、図１７に示すように、送信側の電子機器５０１及び受信側の電子機器５１１により構成されている。【０００４】
電子機器５０１は、送信回路部５０２、共振部５０４及び発信用電極５０６を備えている。送信回路部５０２は、ＵＷＢ信号などの高周波信号を生成する回路である。発信用電極５０６は、送信回路部５０２が生成した高周波信号を電波として放射する。共振部５０４は、送信回路部５０２と発信用電極５０６との間のインピーダンスマッチングをとるための回路である。【０００５】
一方、電子機器５１１は、受信回路部５１２、共振部５１４及び受信用電極５１６を備えている。受信用電極５１６は、発信用電極５０６と電界結合しており、発信用電極５０６が放射した電波を受信する。受信回路部５１２は、受信用電極５１６が受信した電波を復調及び復号処理する。共振部５１４は、受信回路部５１２と受信用電極５１６とのインピーダンスマッチングをとるための回路である。【０００６】
ここで、上記発信用電極５０６についてより詳細に説明する。発信用電極５０６は、図１８に示すように、アンテナ５２０の一部を構成している。なお、図１７では、アンテナ５２０は示されておらず、発信用電極５０６のみが示されている。アンテナ５２０は、図１８に示すように、発信用電極５０６、基板５２２、グランド電極５２４、スタブ５２６、基板５２８及びビアホール導体５３０，５３２を備えている。【０００７】
基板５２２は、絶縁材料により構成されている。グランド電極５２４は、基板５２２の裏面全面に設けられており、接地電位が印加される。スタブ５２６は、基板５２２の表面上に設けられている線状電極であり、通信システム５００にて送受信される高周波信号の半波長（λ／２）に略等しい長さを有している。基板５２８は、絶縁材料により構成され、基板５２２の表面上であって、スタブ５２６の一部を覆い隠すように設けられている。発信用電極５０６は、基板５２８の表面に設けられている矩形状の電極である。ビアホール導体５３０は、発信用電極５０６とスタブ５２６とを接続している。ビアホール導体５３２は、スタブ５２６とグランド電極５２４とを接続している。ここで、ビアホール導体５３０は、図１９に示すように、ビアホール導体５３２から通信システムにて送受信される高周波信号の４分の１波長（λ／４）だけ離れた位置においてスタブ５２６に接続されている。【０００８】
一方、受信用電極５１６も、発信用電極５０６と同様に、図１８に示すようなアンテナ５５０の一部を構成している。アンテナ５５０は、図１８に示すように、受信用電極５１６、基板５５２、グランド電極５５４、スタブ５５６、基板５５８及びビアホール導体５６０，５６２を備えている。ただし、アンテナ５５０の構成は、アンテナ５２０の構成と同じであるので、説明を省略する。【０００９】
以上のような構成を有するアンテナ５２０，５５０は、発信用電極５０６と受信用電極５１６との距離が所定距離（例えば、３ｃｍ程度）となるように接近させられた状態で用いられる。より詳細には、発信用電極５０６と受信用電極５１６との距離が所定距離となったときに、発信用電極５０６と受信用電極５１６との間に所定の容量が発生し、アンテナ５２０の入力インピーダンスが送信回路部５０２の出力インピーダンス（例えば、５０Ω）と一致する（すなわち、インピーダンスマッチングする）ように設計されている。同様に、発信用電極５０６と受信用電極５１６との距離が所定距離となったときに、発信用電極５０６と受信用電極５１６との間に所定の容量が発生し、アンテナ５５０側の出力インピーダンスが受信回路部５１２の入力インピーダンスと一致する（すなわち、インピーダンスマッチングする）ように設計されている。これにより、送信回路部５０２から出力される高周波信号が、低反射でアンテナ５２０へと入力するようになる。そして、スタブ５２６が高周波信号の半波長に略等しい長さを有しているので、図１９に示すように、スタブ５２６において定在波が発生する。なお、アンテナ５５０及び受信回路部５１２においても、同様の現象が発生しているが、説明を省略する。【００１０】
ここで、ビアホール導体５３０は、前記の通り、ビアホール導体５３２から高周波信号の４分の１波長（λ／４）だけ離れた位置においてスタブ５２６に接続されている。この位置は、図１９に示すように、定在波の腹に相当する。すなわち、ビアホール導体５３０は、電位の変動が最も大きい位置においてスタブ５２６に接続されている。その結果、発信用電極５０６の電位の変動は最大となる。よって、大きな振幅を有する電界が電波として発信用電極５０６から放射される。一方、アンテナ５５０では、アンテナ５２０と逆方向に高周波信号が流れる。ただし、アンテナ５５０の動作は、アンテナ５２０の動作と基本的に同じであるので、説明を省略する。以上のような通信システムでは、発信用電極５０６と受信用電極５１６とが電界結合し、発信用電極５０６が放射する電界の変動を受信用電極５１６が受信することにより、高周波信号の伝送が行われる。【００１１】
ところで、特許文献１に記載の通信システム５００は、設計の自由度が低いという問題を有している。より詳細には、図１９に示すように、スタブ５２６では、定在波が発生している。この定在波は、送信回路部５０２から出力されてくる高周波信号がスタブ５２６に入力し、更に、スタブ５２６の両端にて反射を繰り返すことにより発生する。【００１２】
しかしながら、スタブ５２６の入力側の端部と定在波の節とが完全に一致してしまうと、スタブ５２６の入力インピーダンスが０Ωとなる。そのため、スタブ５２６に接続されているコネクタ５４０とスタブ５２６との間のインピーダンスマッチングが崩れてしまう。その結果、高周波信号は、スタブ５２６に入力できない。そこで、アンテナ５２０では、図１９に示すように、スタブ５２６の入力側の端部は、定在波の節から僅かにずらされている。具体的には、スタブ５２６の入力インピーダンスがコネクタ５４０の出力インピーダンスと一致するように、コネクタ５４０がスタブ５２６に接続されている。すなわち、スタブ５２６の入力側の端部は、図１９に示すように、スタブ５２６とビアホール導体５３２との接続位置から高周波信号の半波長よりも僅かに短い位置に設けられている。これにより、スタブ５２６の入力インピーダンスとコネクタ５４０の出力インピーダンスとが一致し、高周波信号はコネクタ５４０からスタブ５２６へと低反射で入力するようになる。【００１３】
ただし、上記のような設計条件を満たそうとすると、精度よくコネクタ５４０をスタブ５２６に対して接続する必要がある。より詳細には、一端が終端されているスタブ５２６の入力インピーダンスは、定在波と同様に、両端で低く、中央で高くなっている。更に、一端が終端されているスタブ５２６の入力インピーダンスの変化率は、定在波と同様に、両端で大きく、中央で小さくなっている。コネクタ５４０はスタブ５２６の端部に接続されるので、コネクタ５４０のスタブ５２６に対する接続位置が本来の位置から僅かでもずれると、スタブ５２６の入力インピーダンスがコネクタ５４０の出力インピーダンスから大きくずれてしまう。その結果、高周波信号は、コネクタ５４０からスタブ５２６へと低反射で入力できなくなる。以上の理由により、アンテナ５２０は、コネクタ５４０をスタブ５２６に対して精度よく接続する必要があるため、設計の自由度が低いという問題を有している。またコネクタ５４０がＲＦケーブル等に変更となり、例えば特性インピーダンスが５０Ωから３５Ωに変化した場合は、アンテナ５２０に対するコネクタ５４０の接続位置の再設計が必要である。実使用においてコネクタやケーブルの特性インピーダンスは、製造品により異なるので、このアンテナ５２０を特定のコネクタに対して設計した後に、別のコネクタやケーブルへ変更することは非常に困難である。なお、アンテナ５５０においても同様の問題が発生する。
【先行技術文献】
【特許文献】
【００１４】
【特許文献１】特開２００８−９９２３４号公報
【発明の概要】
【発明が解決しようとする課題】
【００１５】
そこで、本発明の目的は、設計の自由度の高いアンテナを提供することである。
【課題を解決するための手段】
【００１６】
本発明の一形態に係るアンテナは、接地電位が印加されるグランド導体と、高周波信号が伝送される線状導体と、前記グランド導体と前記線状導体との間を絶縁する絶縁体層と、前記線状導体と前記グランド導体との間に接続され、かつ、該線状導体が接続されている点と該グランド導体が接続されている点との間において該線状導体の線幅よりも広い線幅を有している放射導体であって、電界を放射する放射導体と、を備えていること、を特徴とする。
【発明の効果】
【００１７】
本発明によれば、設計の自由度の高いアンテナを提供することができる。
【図面の簡単な説明】
【００１８】
【図１】第１の実施形態に係るアンテナの透視図である。
【図２】図１のアンテナの分解図である。
【図３】図１のアンテナの等価回路図である。
【図４】第１の変形例に係るアンテナの透視図である。
【図５】第２の変形例に係るアンテナの透視図である。
【図６】第３の変形例に係るアンテナの透視図である。
【図７】図６のアンテナの等価回路図である。
【図８】第４の変形例に係るアンテナの透視図である。
【図９】図８のアンテナの等価回路図である。
【図１０】第５の変形例に係るアンテナの透視図である。
【図１１】第２の実施形態に係るアンテナの透視図である。
【図１２】図１１のアンテナの分解図である。
【図１３】第３の実施形態に係るアンテナの透視図である。
【図１４】図１３のアンテナの分解図である。
【図１５】第１の変形例に係るアンテナの透視図である。
【図１６】第２の変形例に係るアンテナの透視図である。
【図１７】特許文献１に記載の通信システムのブロック図である。
【図１８】図１７の通信システムに用いられているアンテナの透視図である。
【図１９】図１８のアンテナの等価回路図である。
【発明を実施するための形態】
【００１９】
以下に、本発明の実施形態に係るアンテナについて図面を参照しながら説明する。
【００２０】
（第１の実施形態）
（アンテナの構造）
以下に、第１の実施形態に係るアンテナの構造について図面を参照しながら説明する。図１は、第１の実施形態に係るアンテナ１０ａの透視図である。図２は、図１のアンテナ１０ａの分解図である。図３は、図１のアンテナ１０ａの等価回路図である。図１及び図２において、絶縁体層の積層方向をｚ軸方向と定義する。また、ｚ軸方向から平面視したときのアンテナ１０ａの各辺に沿った方向をｘ軸方向及びｙ軸方向と定義する。ｘ軸方向、ｙ軸方向及びｚ軸方向は、互いに直交している。
【００２１】
アンテナ１０ａは、例えば、図１７の通信システム５００に用いられ、具体的には、共振部５０４及び発信用電極５０６、又は、共振部５１４及び受信用電極５１６の代わりに用いられる。以下では、アンテナ１０ａが共振部５０４及び発信用電極５０６として用いられる場合について説明する。アンテナ１０ａは、図１に示すように、本体１２ａ、放射導体１６、端子導体１８，２０、接続導体２２、線状導体２４、グランド導体２６及びビアホール導体ｂ１〜ｂ８を備えている。
【００２２】
本体１２ａは、図２に示すように、複数の絶縁体層１４（１４ａ〜１４ｃ）がｚ軸方向の正方向側からこの順に積層されることにより構成されている。絶縁体層１４は、可撓性材料（例えば、液晶ポリマー等の熱可塑性樹脂）からなり、長方形状をなしている。以下では、絶縁体層１４のｚ軸方向の正方向側の主面を表面と称し、絶縁体層１４のｚ軸方向の負方向側の主面を裏面と称す。
【００２３】
端子導体１８は、図２（ａ）に示すように、絶縁体層１４ａの表面において、ｘ軸方向の負方向側の辺近傍に設けられており、正方形状をなしている。これにより、端子導体１８は、図１に示すように、本体１２ａのｚ軸方向の正方向側の主面に露出している。端子導体１８には、図１７の送信回路部５０２にて生成された高周波信号（例えば、４．４８ＧＨｚ）が印加される。すなわち、端子導体１８には、アンテナ１０ａに接続されるコネクタ（図示せず）の信号端子が接続される。ビアホール導体ｂ５は、図２（ａ）に示すように、絶縁体層１４ａをｚ軸方向に貫通しており、端子導体１８に接続されている。
【００２４】
端子導体２０は、図２（ａ）に示すように、絶縁体層１４ａの表面において、ｘ軸方向の負方向側の辺近傍に設けられており、端子導体１８を三方から囲んでいる。具体的には、端子導体２０は、ｘ軸方向の正方向側が開口したコ字型をなしている。これにより、端子導体２０は、図１に示すように、本体１２ａのｚ軸方向の正方向側の主面に露出している。端子導体２０には、接地電位が印加される。すなわち、端子導体２０には、アンテナ１０ａに接続されるコネクタ（図示せず）のグランド端子が接続される。ビアホール導体ｂ３，ｂ４は、図２（ａ）に示すように、絶縁体層１４ａをｚ軸方向に貫通しており、端子導体２０に接続されている。なお、ビアホール導体ｂ３〜ｂ５は、ｚ軸方向の正方向側から平面視したときに、ｙ軸方向に一直線に並んでいる。
【００２５】
放射導体１６は、図２（ａ）に示すように、絶縁体層１４ａの表面において、端子導体１８，２０よりもｘ軸方向の正方向側に設けられており、長方形状をなしている。また、放射導体１６は、図２（ａ）に示すように、ｙ軸方向に線幅Ｗ２を有している。ビアホール導体ｂ１，ｂ２は、図２（ａ）に示すように、絶縁体層１４ａをｚ軸方向に貫通しており、放射導体１６に接続されている。ビアホール導体ｂ１は、放射導体１６のｘ軸方向の正方向側の長辺の中点近傍に接続されている。また、ビアホール導体ｂ２は、放射導体１６のｘ軸方向の負方向側の長辺の中点近傍に接続されている。よって、ビアホール導体ｂ１，ｂ２は、ｘ軸方向に一直線に並んでいる。
【００２６】
線状導体２４は、図２（ｂ）に示すように、絶縁体層１４ｂの表面に設けられている。線状導体２４は、ｘ軸方向に延在し、線幅Ｗ２よりも狭い線幅Ｗ１を有している。線状導体２４のｘ軸方向の負方向側の端部は、図１に示すように、ｚ軸方向から平面視したときに、端子導体１８に重なっている。これにより、端子導体１８は、ビアホール導体ｂ５により、線状導体２４に接続されている。一方、線状導体２４のｘ軸方向の正方向側の端部は、図１に示すように、ｚ軸方向から平面視したときに、放射導体１６に重なっている。これにより、端子導体２０は、ビアホール導体ｂ２により、放射導体１６に接続されている。
【００２７】
接続導体２２は、図２（ｂ）に示すように、絶縁体層１４ｂの表面に設けられており、ｘ軸方向に延在する線状導体である。接続導体２２のｘ軸方向の負方向側の端部は、図１に示すように、ｚ軸方向から平面視したときに、放射導体１６に重なっている。これにより、接続導体２２は、ビアホール導体ｂ１を介して、放射導体１６に接続されている。一方、接続導体２２のｘ軸方向の正方向側の端部は、ｚ軸方向から平面視したときに、放射導体１６と重なっていない。
【００２８】
ビアホール導体ｂ６は、絶縁体層１４ｂをｚ軸方向に貫通しており、接続導体２２のｘ軸方向の正方向側の端部に接続されている。ビアホール導体ｂ７，ｂ８はそれぞれ、絶縁体層１４ｂをｚ軸方向に貫通しており、ビアホール導体ｂ３，ｂ４に接続されている。
【００２９】
グランド導体２６は、図２（ｃ）に示すように、絶縁体層１４ｃの表面の略全面を覆うように設けられている。ただし、短絡を防止するために、グランド導体２６は、本体１２ａの側面から露出しないように、絶縁体層１４ｃの各辺には接していない。また、グランド導体２６は、ビアホール導体ｂ６により、接続導体２２に接続されている。これにより、接続導体２２は、グランド導体２６と放射導体１６との間に接続されている。更に、グランド導体２６は、ビアホール導体ｂ３，ｂ４，ｂ７，ｂ８により、端子導体２０に接続されている。よって、グランド導体２６には、接地電位が印加される。
【００３０】
以上のように構成された絶縁体層１４ａ〜１４ｃが積層されると、線状導体２４とグランド導体２６とが絶縁体層１４ｂにより絶縁されている。ただし、線状導体２４は、ｚ軸方向から平面視したときに、絶縁体層１４ｂを介して、グランド導体２６と対向している。これにより、線状導体２４とグランド導体２６とはマイクロストリップライン構造をなしている。
【００３１】
更に、放射導体１６とグランド導体２６とは、絶縁体層１４ａ，１４ｂにより直接に接続されないように絶縁されている。ただし、放射導体１６は、ｚ軸方向から平面視したときに、絶縁体層１４ａ，１４ｂを介して、グランド導体２６と対向している。
【００３２】
また、放射導体１６とグランド導体２６との間に設けられている絶縁体層１４ａ，１４ｂの数（２層）は、線状導体２４とグランド導体２６との間に設けられている絶縁体層１４ｂの数（１層）よりも多い。これにより、放射導体１６とグランド導体２６との間のｚ軸方向の距離ｄ２は、線状導体２４とグランド導体２６との間のｚ軸方向の距離ｄ１よりも大きくなっている。
【００３３】
また、放射導体１６は、絶縁体層１４ａ〜１４ｃが積層されると、図１に示すように、線状導体２４とグランド導体２６との間に接続されるようになる。そして、放射導体１６は、線状導体２４が接続されている点（すなわち、ビアホール導体ｂ２の接続点）とグランド導体２６が接続されている点（すなわち、ビアホール導体ｂ１の接続点）との間において、線状導体２４の線幅Ｗ１よりも広い線幅Ｗ２を有している。また、放射導体１６は、図１及び図２に示すように、線状導体２４よりも広い面積を有している。
【００３４】
以上のような構成によれば、アンテナ１０ａは、図３に示す等価回路を有するようになる。具体的には、端子導体１８と端子導体２０との間に、線状導体２４、放射導体１６及びグランド導体２６がこの順に直列に接続されている。そして、線状導体２４とグランド導体２６との間において、容量Ｃ１が発生している。また、放射導体１６とグランド導体２６との間において、容量Ｃ２が発生している。更に、線状導体２４は、インダクタンスＬ１を発生している。また、放射導体１６は、インダクタンスＬ２を発生している。すなわち、アンテナ１０ａでは、容量Ｃ１，Ｃ２及びインダクタンスＬ１，Ｌ２からなる共振回路が構成されている。
【００３５】
ここで、容量Ｃ１，Ｃ２及びインダクタンスＬ１，Ｌ２が、以下に説明する条件に適合するように、アンテナ１０ａは設計される。より詳細には、容量Ｃ１，Ｃ２及びインダクタンスＬ１，Ｌ２と、アンテナ１０ａにおいて送信される高周波信号の中心周波数ｆとの間には、式（１）の関係が成立する。
【００３６】
ｆ＝２π／√｛（Ｌ１＋Ｌ２）×（Ｃ１＋Ｃ２）｝・・・（１）
（ただし、Ｃ２は、略０である。）
【００３７】
また、アンテナ１０ａの入力インピーダンスＺは、図１７の送信回路部５０２の出力インピーダンス（例えば、５０Ω）と一致している必要がある。そして、容量Ｃ１，Ｃ２及びインダクタンスＬ１，Ｌ２と、入力インピーダンスＺとの間には、式（２）の関係が成立する。
【００３８】
Ｚ＝√｛（Ｌ１＋Ｌ２）／（Ｃ１＋Ｃ２）｝・・・（２）
（ただし、Ｃ２は、略０である。）
【００３９】
アンテナ１０ａでは、以上の式（１）及び式（２）を満足するような容量Ｃ１，Ｃ２及びインダクタンスＬ１，Ｌ２を有するように、線状導体２４及び放射導体１６を設計すればよい。ただし、放射導体１６が有しているリアクタンスＸ１（｜Ｌ２／Ｃ２｜）が、線状導体２４が有しているリアクタンスＸ２（｜Ｌ１／Ｃ１｜）よりも大きくなるように、線状導体２４及び放射導体１６は、設計されることが望ましい。
【００４０】
以上のように構成されたアンテナ１０ａは、例えば、図１７の通信システム５００に用いられ、具体的には、共振部５０４及び発信用電極５０６、又は、共振部５１４及び受信用電極５１６の代わりに用いられる。この場合、２つのアンテナ１０ａ同士は、２つの放射導体１６同士の距離が数ｃｍとなるように近接させられる。そして、共振部５０４及び発信用電極５０６の代わりに用いられるアンテナ１０ａでは、端子導体１８に高周波信号が印加され、端子導体２０に接地電位が印加される。これにより、高周波信号は、線状導体２４を伝送され、放射導体１６に入力するようになる。そして、放射導体１６からは、高周波信号に従って変動する電界がｚ軸方向の正方向側へと放射される。
【００４１】
一方、共振部５１４及び受信用電極５１６として用いられるアンテナ１０ａでは、放射導体１６が、放射された電界を吸収する。この後、高周波信号は、線状導体２４を伝送され、端子導体１８を介して、アンテナ１０ａ外へと出力する。
【００４２】
（アンテナの製造方法）
以下に、アンテナ１０ａの製造方法について図２を参照しながら説明する。以下では、一つのアンテナ１０ａが作製される場合を例にとって説明するが、実際には、大判の絶縁体層が積層及びカットされることにより、同時に複数のアンテナ１０ａが作製される。
【００４３】
まず、表面の全面に銅箔が形成された液晶ポリマーからなる絶縁体層１４を準備する。次に、フォトリソグラフィ工程により、図２（ａ）に示す放射導体１６及び端子導体１８，２０を絶縁体層１４ａの表面に形成する。具体的には、絶縁体層１４ａの銅箔上に、図２（ａ）に示す放射導体１６及び端子導体１８，２０と同じ形状のレジストを印刷する。そして、銅箔に対してエッチング処理を施すことにより、レジストにより覆われていない部分の銅箔を除去する。その後、レジストを除去する。これにより、図２に示すような、放射導体１６及び端子導体１８，２０が絶縁体層１４ａの表面に形成される。
【００４４】
次に、フォトリソグラフィ工程により、図２（ｂ）に示す接続導体２２及び線状導体２４を絶縁体層１４ｂの表面に形成する。また、フォトリソグラフィ工程により、図２（ｃ）に示すグランド導体２６を絶縁体層１４ｃの表面に形成する。なお、これらのフォトリソグラフィ工程は、放射導体１６及び端子導体１８，２０を形成する際のフォトリソグラフィ工程と同様であるので、説明を省略する。
【００４５】
次に、絶縁体層１４ａ，１４ｂのビアホール導体ｂ１〜ｂ８が形成される位置に対して、裏面側からレーザービームを照射して、ビアホールを形成する。その後、絶縁体層１４ａ，１４ｂに形成したビアホールに対して、銅を主成分とする導電性ペーストを充填し、図２に示すビアホール導体ｂ１〜ｂ８を形成する。
【００４６】
次に、絶縁体層１４ａ〜１４ｃをこの順に積み重ねる。そして、絶縁体層１４ａ〜１４ｃに対してｚ軸方向の正方向側及び負方向側から力を加えることにより、絶縁体層１４ａ〜１４ｃを圧着する。これにより、図１に示すアンテナ１０ａが得られる。
【００４７】
（効果）
以上のように構成されたアンテナ１０ａでは、以下に説明するように、設計の自由度が高い。より詳細には、特許文献１の通信システム５００のアンテナ５２０では、スタブ５２６にて定在波を発生させ、該定在波を用いて発信用電極５０６から電界を放射させている。このような定在波を発生させるためには、スタブ５２６の入力インピーダンスとコネクタ５４０の出力インピーダンスとが整合するように、コネクタ５４０をスタブ５２６に対して精度よく接続する必要がある。そのため、アンテナ５２０は、設計の自由度が低いという問題を有している。
【００４８】
一方、アンテナ１０ａは、定在波を利用して電界を放射しているのではなく、アンテナ１０ａ中にＬＣ共振回路を構成して、ＬＣ共振回路の中心周波数ｆを有する高周波信号のみを線状導体２４中及び放射導体１６中を伝送している。そして、放射導体１６の線幅Ｗ２を線状導体２４の線幅Ｗ１よりも広くして、放射導体１６の面積を線状導体２４の面積よりも大きくしている。これにより、放射導体１６は、高周波信号に従って変動する電界を放射するようになる。すなわち、アンテナ５２０，５５０と同様に、２つのアンテナ１０ａ間において近距離無線通信を行うことができる。
【００４９】
ここで、アンテナ１０ａでは、線状導体２４と放射導体１６とグランド導体２６とを直列に接続し、端子導体１８，２０間で、ＬＣ共振回路を構成している。よって、アンテナ１０ａ内を伝送される高周波信号の中心周波数ｆは、前記の通り、線状導体２４及び放射導体１６の容量Ｃ１，Ｃ２及びインダクタンスＬ１，Ｌ２により定まる。容量Ｃ１，Ｃ２及びインダクタンスＬ１，Ｌ２の調整は、線状導体２４及び放射導体１６の形状（線幅や長さ等）を調整することにより行うことができる。すなわち、アンテナ１０ａでは、複数の設計要素の中から任意のものを調整することにより、インピーダンスマッチングを取ることができる。一方、アンテナ５２０では、スタブ５２６の長さが所望の長さとなるように、コネクタ５４０をスタブ５２６に精度よく接続する必要がある。すなわち、アンテナ５２０では、スタブ５２６の長さのみによりインピーダンスマッチングを取らなくてはならない。以上より、アンテナ１０ａは、アンテナ５２０に比べて、高い設計の自由度を有している。また、線状導体２４の線幅や線長の変更や長さ方向に対するスリット部の有無などを変更することで、容量Ｃ１及びインダクタンスＬ１を複数段のＬＣ共振回路にして、放射周波数が広帯域なＬＣ共振回路を構成することもできる。
【００５０】
また、アンテナ１０ａでは、ｚ軸方向の高さを低減できる（以下、低背化と称す）。より詳細には、図１８に示すアンテナ５２０では、両端ショート型のダイポールアンテナを構成している。すなわち、アンテナ５２０では、ビアホール導体５３０をスタブ５２６から上側へと延在させると共に、ビアホール導体５３０の先端にて水平方向に広がる発信用電極５０６を設けている。そのため、ビアホール導体５３０の分だけ、アンテナ５２０の高さが高くなってしまう。
【００５１】
一方、アンテナ１０ａでは、ＬＣ共振回路に設けられている放射導体１６から電界が放射されているに過ぎない。よって、アンテナ１０ａは、アンテナ５２０のように両端ショート型のダイポールアンテナの構成をとる必要がない。その結果、アンテナ１０ａの低背化が図られる。
【００５２】
また、アンテナ１０ａでは、以下に説明するように、放射導体１６がより強い電界を放射できる。より詳細には、放射導体１６がグランド導体２６と近接していると、放射導体１６から放射される電界は、その大半がグランド導体２６側（すなわち、ｚ軸方向の負方向側）へと放射され、グランド導体２６にて消費されてしまう。そのため、強い電界が、放射導体１６からｚ軸方向の正方向側に放射されにくい。
【００５３】
そこで、アンテナ１０ａでは、放射導体１６とグランド導体２６との間のｚ軸方向の距離ｄ２を、線状導体２４とグランド導体２６との間のｚ軸方向の距離ｄ１よりも大きくしている。これにより、放射導体１６は、グランド導体２６から引き離されるようになる。その結果、放射導体１６から放射される電界の大半は、ｚ軸方向の正方向側に放射されるようになる。すなわち、アンテナ１０ａでは、放射導体１６がより強い電界を放射できる。
【００５４】
また、グランド導体２６と線状導体２４とがマイクロストリップラインを構成することにより、線状導体２４の特性インピーダンス（入力インピーダンス及び出力インピーダンス）を、放射導体１６やその他の構成の特性インピーダンスと整合させやすくなる。
【００５５】
また、アンテナ１０ａでは、２つの放射導体１６間の距離が変動しても、高周波信号の伝送特性が悪化しにくい。より詳細には、アンテナ５２０，５５０では、発信用電極５０６と受信用電極５１６との距離が所定距離（例えば、３ｃｍ）となったときに、発信用電極５０６と受信用電極５１６との間に所定の容量が発生し、アンテナ５２０の入力インピーダンスが送信回路部５０２の出力インピーダンス（例えば、５０Ω）と一致する（すなわち、インピーダンスマッチングする）ように設計されている。同様に、発信用電極５０６と受信用電極５１６との距離が所定距離となったときに、発信用電極５０６と受信用電極５１６との間に所定の容量が発生し、アンテナ５５０側の出力インピーダンスが受信回路部５１２の入力インピーダンスと一致する（すなわち、インピーダンスマッチングする）ように設計されている。そのため、発信用電極５０６と受信用電極５１６との距離が所定距離から少しでもずれてしまうと、インピーダンスマッチングが崩れてしまう。その結果、アンテナ５２０，５５０では、高周波信号の伝送を行うことができなくなってしまう。
【００５６】
一方、アンテナ１０ａでは、線状導体２４、グランド導体２６及び放射導体１６からなるＬＣ共振回路により、送信回路部５０２又は受信回路部５１２とのインピーダンスマッチングがとられている。そして、前記の通り、グランド導体２６と放射導体１６との間の容量Ｃ２は、略０であるために、ＬＣ共振回路のインピーダンスは、容量Ｃ２には依存しない。つまり、インピーダンスは、線状導体２４のインダクタンスＬ１、放射導体１６のインダクタンスＬ２、及び、線状導体２４とグランド導体２６との間の容量Ｃ２により実質的に定まる。よって、放射導体１６間の距離が変動しても、アンテナ１０ａと送信回路部５０２又は受信回路部５１２との間のインピーダンスマッチングが崩れることはない。よって、アンテナ１０ａでは、放射導体１６間の距離が変動しても、高周波信号の伝送特性が悪化しにくい。
【００５７】
（変形例）
以下に、アンテナ１０ａの変形例に係るアンテナについて図面を参照しながら説明する。図４は、第１の変形例に係るアンテナ１０ｂの透視図である。アンテナ１０ｂは、蛇行した線状導体２４'を有している点において、アンテナ１０ａと相違している。アンテナ１０ｂのそれ以外の点は、アンテナ１０ａと同じであるので説明を省略する。
【００５８】
線状導体２４'が蛇行することにより、線状導体２４'のインダクタンスＬ１を大きくすることができる。すなわち、アンテナ１０ｂでは、インダクタンスＬ１の調整幅を大きくすることができる。これにより、アンテナ１０ｂの共振周波数の調整や、送信回路部５０２又は受信回路部５１２とのインピーダンスマッチング等を容易に行うことが可能となる。
【００５９】
図５は、第２の変形例に係るアンテナ１０ｃの透視図である。アンテナ１０ｃは、線状導体２４に加えて線状導体２４ａを更に備えている点において、アンテナ１０ａと相違している。アンテナ１０ｃのそれ以外の点は、アンテナ１０ａと同じであるので説明を省略する。
【００６０】
線状導体２４ａは、線状導体２４に対して並列に接続されている。このように、アンテナ１０ｃにおいて、並列接続された複数本の線状導体２４，２４ａが設けられていてもよい。これにより、複共振化でき、例えば、４．４８ＧＨｚ±２００MHｚに広帯域化できる。なお、線状導体２４，２４ａの線幅は、同じであってもよいし、異なっていてもよい。また、線状導体２４，２４ａのいずれか一方の先端を開放することによって、オープンスタブ型としてもよい。
【００６１】
図６は、第３の変形例に係るアンテナ１０ｄの透視図である。図７は、図６のアンテナ１０ｄの等価回路図である。アンテナ１０ｄでは、アンテナ１０ａよりも、ビアホール導体ｂ１が放射導体１６の中心に近い位置に設けられている。アンテナ１０ｄのそれ以外の点は、アンテナ１０ａと同じであるので説明を省略する。
【００６２】
アンテナ１０ｄでは、アンテナ１０ａよりも，放射導体１６とグランド導体２６とがビアホール導体ｂ１により放射導体１６の中心に近い位置において接続されている。よって、ビアホール導体ｂ１は、アンテナ１０ａよりもアンテナ１０ｄにおいて、放射導体１６のｘ軸方向の正方向側の辺から離れた位置に設けられている。これにより、図７に示すように、放射導体１６には先端部６０が形成される。その結果、放射導体１６の先端部６０がオープンスタブとして機能するようになり、利得が向上する。
【００６３】
図８は、第４の変形例に係るアンテナ１０ｅの透視図である。図９は、図８のアンテナ１０ｅの等価回路図である。アンテナ１０ｅは、接続導体２２'がミアンダ状をなしている点において、アンテナ１０ａと相違している。また、アンテナ１０ｅは、接続導体２２'のｘ軸方向の負方向側の端部とグランド導体２６とがビアホール導体ｂ３０により接続されている点においても、アンテナ１０ａと相違している。アンテナ１０ｅのそれ以外の点は、アンテナ１０ａと同じであるので説明を省略する。
【００６４】
アンテナ１０ｅでは、接続導体２２'は、ミアンダ状をなしているので、誘導性線路として機能する。また、ビアホール導体ｂ３０が設けられているので、図９に示すように、放射導体１６とグランド導体２６とは、２つに枝分かれした線路により接続されるようになる。これにより、利得を制御できるようになる。なお、ビアホール導体ｂ３０は設けられていなくてもよい。
【００６５】
図１０は、第５の変形例に係るアンテナ１０ｆの透視図である。アンテナ１０ｆは、開口Ｏが設けられたグランド導体２６'を有している点において、アンテナ１０ａと相違している。アンテナ１０ｆのそれ以外の点は、アンテナ１０ａと同じであるので説明を省略する。
【００６６】
グランド導体２６'は、ｚ軸方向から平面視したときに、放射導体１６と重なる部分において、導体が設けられていない開口Ｏを有している。これにより、放射導体１６は、ｚ軸方向（放射導体１６の法線方向）から平面視したときに、グランド導体２６'と重ならなくなる。これにより、グランド導体２６'にて消費される電界が殆どなくなる。よって、アンテナ１０ｆでは、アンテナ１０ａに比べて、放射導体１６がより強い電界を放射できる。
【００６７】
また、アンテナ１０ｆでは、放射導体１６とグランド導体２６'とは対向していないので、これらの間に発生している容量Ｃ２は、略０である。すなわち、アンテナ１０ｆにおける容量が低減される。つまり、入力ポートから見てアンテナ１０ｆの入力インピーダンスは、実質的にインダクタンスに見え、アンテナ１０ｆから見て入力ポートの出力インピーダンスは、５０Ωに見える。この部分のインピーダンス整合をとることにより、入力インピーダンスの反射特性が深くなり、広帯域な反射特性となる。よって、アンテナ１０ｆにおける容量が小さくなれば、アンテナ１０ｆの広帯域化を図ることができる。
【００６８】
（第２の実施形態）
以下に、第２の実施形態に係るアンテナの構造について図面を参照しながら説明する。図１１は、第２の実施形態に係るアンテナ１０ｇの透視図である。図１２は、図１１のアンテナ１０ｇの分解図である。図１１及び図１２において、絶縁体層の積層方向をｚ軸方向と定義する。また、ｚ軸方向から平面視したときのアンテナ１０ｇの各辺に沿った方向をｘ軸方向及びｙ軸方向と定義する。ｘ軸方向、ｙ軸方向及びｚ軸方向は、互いに直交している。
【００６９】
アンテナ１０ｇは、図１１に示すように、本体１２ｇ、導体３５、グランド導体３８、端子導体４０，４２及びビアホール導体ｂ１１〜ｂ１５を備えている。
【００７０】
本体１２ｇは、図１２に示すように、複数の絶縁体層３４（３４ａ，３４ｂ）がｚ軸方向の正方向側からこの順に積層されることにより構成されている。絶縁体層３４は、可撓性材料（例えば、液晶ポリマー等の熱可塑性樹脂）からなり、長方形状をなしている。以下では、絶縁体層３４のｚ軸方向の正方向側の主面を表面と称し、絶縁体層３４のｚ軸方向の負方向側の主面を裏面と称す。
【００７１】
グランド導体３８は、図１２（ｂ）に示すように、絶縁体層３４ｂの表面に設けられている。グランド導体３８には、導体が設けられていない開口Ｏ１，Ｏ２が形成されている。
【００７２】
端子導体４２は、図１２（ｂ）に示すように、絶縁体層３４ｂの裏面において、ｘ軸方向の負方向側の辺近傍に設けられており、正方形状をなしている。これにより、端子導体４２は、図１１に示すように、本体１２ｇのｚ軸方向の負方向側の主面に露出している。また、端子導体４２は、ｚ軸方向から平面視したときに、開口Ｏ２内に収まるように設けられている。端子導体４２には、図１７の送信回路部５０２にて生成された高周波信号が印加される。
【００７３】
ビアホール導体ｂ１３は、図１２（ｂ）に示すように、開口Ｏ２内において絶縁体層３４ｂをｚ軸方向に貫通しており、端子導体４２に接続されている。これにより、ビアホール導体ｂ１３は、グランド導体３８と絶縁されている。
【００７４】
端子導体４０は、図１２（ｂ）に示すように、絶縁体層３４ｂの裏面において、ｘ軸方向の負方向側の辺近傍に設けられており、端子導体４２を三方から囲んでいる。具体的には、端子導体４０は、ｘ軸方向の正方向側が開口したコ字型をなしている。これにより、端子導体４０は、図１１に示すように、本体１２ｇのｚ軸方向の負方向側の主面に露出している。端子導体４０には、接地電位が印加される。ビアホール導体ｂ１４，ｂ１５は、図１２（ｂ）に示すように、絶縁体層３４ｂをｚ軸方向に貫通しており、端子導体４０及びグランド導体３８に接続されている。なお、ビアホール導体ｂ１３〜ｂ１５は、ｚ軸方向の正方向側から平面視したときに、ｙ軸方向に一直線に並んでいる。
【００７５】
導体３５は、放射導体３６ａ、接続導体３６ｂ及び線状導体３６ｃを含んでいる。放射導体３６ａは、図１２（ａ）に示すように、絶縁体層３４ａの表面に設けられ、長方形状をなしている。放射導体３６ａは、図１１に示すように、ｚ軸方向から平面視したときに、開口Ｏ１内に収まるように設けられている。すなわち、放射導体３６ａとグランド導体３８とは対向していない。また、放射導体３６ａは、図１２（ａ）に示すように、ｙ軸方向に線幅Ｗ２を有している。
【００７６】
接続導体３６ｂは、図１２（ａ）に示すように、絶縁体層３４ａの表面に設けられ、放射導体３６ａのｘ軸方向の正方向側の長辺の中点から、ｘ軸方向の正方向側に向かって延在している線状導体である。ビアホール導体ｂ１１は、絶縁体層３４ａをｚ軸方向に貫通しており、接続導体３６ｂとグランド導体３８とを接続している。
【００７７】
線状導体３６ｃは、図１２（ａ）に示すように、絶縁体層３４ａの表面に設けられ、放射導体３６ａのｘ軸方向の負方向側の長辺の中点から、ｘ軸方向の負方向側に向かって延在している。線状導体３６ｃは、線幅Ｗ２よりも狭い線幅Ｗ１を有している。線状導体３６ｃのｘ軸方向の負方向側の端部は、図１１に示すように、ｚ軸方向から平面視したときに、端子導体４２に重なっている。ビアホール導体ｂ１２は、絶縁体層３４ａをｚ軸方向に貫通しており、線状導体３６ｃ及びビアホール導体ｂ１３に接続されている。これにより、線状導体３６ｃと端子導体４２とは、ビアホール導体ｂ１２，ｂ１３により接続されている。
【００７８】
以上のように構成されたアンテナ１０ｇも、アンテナ１０ａと同じ作用効果を奏することができる。
【００７９】
更に、アンテナ１０ｇでは、低背化を図ることができる。より詳細には、放射導体３６ａとグランド導体３８とが対向していない。これにより、放射導体３６ａとグランド導体３８とのｚ軸方向の距離が小さくなっても、放射導体３６ａが放射した電界は、グランド導体３８にて殆ど消費されない。よって、アンテナ１０ｇでは、放射導体３６ａとグランド導体３８との間に設けられる絶縁体層３４は、１層分の絶縁体層３４ａのみで済む。その結果、アンテナ１０ｇの低背化が図られる。
【００８０】
（第３の実施形態）
以下に、第３の実施形態に係るアンテナの構造について図面を参照しながら説明する。図１３は、第３の実施形態に係るアンテナ１０ｈの透視図である。図１４は、図１３のアンテナ１０ｈの分解図である。図１３及び図１４において、絶縁体層の積層方向をｚ軸方向と定義する。また、ｚ軸方向から平面視したときのアンテナ１０ｈの各辺に沿った方向をｘ軸方向及びｙ軸方向と定義する。ｘ軸方向、ｙ軸方向及びｚ軸方向は、互いに直交している。
【００８１】
アンテナ１０ｈは、図１３に示すように、本体１２ｈ、放射導体４６、グランド導体４８、接続導体５０、線状導体５２、端子導体５３，５４及びビアホール導体ｂ２１〜ｂ２３を備えている。
【００８２】
本体１２ｈは、図１４に示すように、複数の絶縁体層４４（４４ａ，４４ｂ）がｚ軸方向の正方向側からこの順に積層されることにより構成されている。絶縁体層４４は、可撓性材料（例えば、液晶ポリマー等の熱可塑性樹脂）からなり、長方形状をなしている。以下では、絶縁体層４４のｚ軸方向の正方向側の主面を表面と称し、絶縁体層４４のｚ軸方向の負方向側の主面を裏面と称す。
【００８３】
端子導体５３は、図１４（ａ）に示すように、絶縁体層４４ａの表面において、ｘ軸方向の負方向側の辺近傍に設けられており、正方形状をなしている。これにより、端子導体５３は、図１３に示すように、本体１２ｈのｚ軸方向の正方向側の主面に露出している。端子導体５３には、図１７の送信回路部５０２にて生成された高周波信号が印加される。
【００８４】
端子導体５４は、図１４（ａ）に示すように、絶縁体層４４ａの表面において、ｘ軸方向の負方向側の辺近傍に設けられており、端子導体５３を三方から囲んでいる。具体的には、端子導体５４は、ｘ軸方向の正方向側が開口したコ字型をなしている。これにより、端子導体５４は、図１３に示すように、本体１２ｈのｚ軸方向の正方向側の主面に露出している。端子導体５４には、接地電位が印加される。ビアホール導体ｂ２２，ｂ２３は、図１４（ａ）に示すように、絶縁体層４４ａをｚ軸方向に貫通しており、端子導体５４に接続されている。
【００８５】
グランド導体４８は、図１４（ｂ）に示すように、絶縁体層４４ｂの表面に設けられている。グランド導体４８には、導体が設けられていない開口Ｏが設けられている。グランド導体４８は、ｚ軸方向から平面視したときに、端子導体５４と重なっている。これにより、グランド導体４８と端子導体５４とは、ビアホール導体ｂ２２，ｂ２３により接続されている。
【００８６】
線状導体５２は、図１４（ａ）に示すように、絶縁体層４４ａの表面に設けられており、端子導体５３からｘ軸方向の正方向側に向かってに延在している。線状導体５２のｘ軸方向の正方向側の端部は、図１３に示すように、ｚ軸方向から平面視したときに、開口Ｏ内に位置している。
【００８７】
接続導体５０は、図１４（ａ）に示すように、絶縁体層４４ａの表面に設けられており、ｘ軸方向に延在する線状導体である。接続導体５０のｘ軸方向の負方向側の端部は、図１３に示すように、ｚ軸方向から平面視したときに、開口Ｏに重なっている。一方、接続導体５０のｘ軸方向の正方向側の端部は、ｚ軸方向から平面視したときに、グランド導体４８と重なっている。ビアホール導体ｂ２１は、絶縁体層４４ａをｚ軸方向に貫通しており、接続導体５０とグランド導体４８とを接続している。
【００８８】
放射導体４６は、図１３に示すように、例えば、１枚の金属板が折り曲げられることにより作製されている。具体的には、放射導体４６は、放射部４６ａ及び脚部４６ｂ〜４６ｇにより構成されている。放射部４６ａは、長方形状の金属板であり、電界を放射する。
【００８９】
脚部４６ｂは、放射部４６ａにおけるｘ軸方向の負方向側の長辺の中点からｘ軸方向の負方向側に突出する突起を、ｚ軸方向の負方向側に折り曲げられて形成されている。脚部４６ｃは、放射部４６ａにおけるｘ軸方向の正方向側の長辺の中点からｘ軸方向の正方向側に突出する突起を、ｚ軸方向の負方向側に折り曲げられて形成されている。脚部４６ｄは、放射部４６ａのｘ軸方向の負方向側であってｙ軸方向の正方向側の角からｘ軸方向の負方向側に突出する突起を、ｚ軸方向の負方向側に折り曲げられて形成されている。脚部４６ｅは、放射部４６ａのｘ軸方向の正方向側であってｙ軸方向の正方向側の角からｘ軸方向の正方向側に突出する突起を、ｚ軸方向の負方向側に折り曲げられて形成されている。脚部４６ｆは、放射部４６ａのｘ軸方向の負方向側であってｙ軸方向の負方向側の角からｘ軸方向の負方向側に突出する突起を、ｚ軸方向の負方向側に折り曲げられて形成されている。脚部４６ｇは、放射部４６ａのｘ軸方向の正方向側であってｙ軸方向の負方向側の角からｘ軸方向の正方向側に突出する突起を、ｚ軸方向の負方向側に折り曲げられて形成されている。
【００９０】
以上のような放射導体４６は、図１３に示すように、脚部４６ｂが線状導体５２のｘ軸方向の正方向側の端部に接続され、かつ、脚部４６ｃが接続導体５０のｘ軸方向の負方向側の端部に接続されるように、本体１２ｈに取り付けられる。このとき、放射部４６ａは、ｚ軸方向から平面視したときに、開口Ｏ内に収まっている。すなわち、放射部４６ａは、グランド導体４８と対向していない。
【００９１】
以上のように構成されたアンテナ１０ｈも、アンテナ１０ａと同じ作用効果を奏することができる。
【００９２】
また、アンテナ１０ｈでは、放射導体４６は、銅箔ではなく金属板により構成されている。これにより、アンテナ１０ｈでは、脚部４６ｂ〜４６ｇの長さを調整することにより、放射導体４６の容量Ｃ２及びインダクタンスＬ２を調整することができる。
【００９３】
（変形例）
以下に、アンテナ１０ｈの変形例に係るアンテナについて図面を参照しながら説明する。図１５は、第１の変形例に係るアンテナ１０ｉの透視図である。アンテナ１０ｉは、脚部４６ｈ、接続導体５６及びビアホール導体ｂ２４を更に備えている点において、アンテナ１０ｈと相違している。アンテナ１０ｈのそれ以外の点は、アンテナ１０ａと同じであるので説明を省略する。
【００９４】
接続導体５６は、絶縁体層４４ａの表面に設けられており、ｙ軸方向に延在する線状導体である。接続導体５６のｙ軸方向の負方向側の端部は、図１５に示すように、ｚ軸方向から平面視したときに、開口Ｏに重なっている。一方、接続導体５６のｙ軸方向の正方向側の端部は、ｚ軸方向から平面視したときに、グランド導体４８と重なっている。ビアホール導体ｂ２４は、絶縁体層４４ａをｚ軸方向に貫通しており、接続導体５６とグランド導体４８とを接続している。
【００９５】
放射導体４６は、脚部４６ｈを更に有している。脚部４６ｈは、放射部４６ａのｙ軸方向の正方向側の短辺の中点からｙ軸方向の正方向側に突出する突起を、ｚ軸方向の負方向側に折り曲げて形成されている。そして、脚部４６ｈは、接続導体５６に対して接続されている。
【００９６】
以上のように、アンテナ１０ｉでは、グランド導体４８と放射導体４６とは、２箇所において接続されている。これにより、放射導体４６の容量Ｃ２及びインダクタンスＬ２を調整することができる。
【００９７】
図１６は、第２の変形例に係るアンテナ１０ｊの透視図である。アンテナ１０ｊは、グランド導体４８'に開口Ｏが設けられていない点において、アンテナ１０ｉと相違している。アンテナ１０ｊのそれ以外の点は、アンテナ１０ｉと同じであるので説明を省略する。
【産業上の利用可能性】
【００９８】
本発明は、アンテナに有用であり、特に、設計の自由度が高い点において優れている。
【符号の説明】
【００９９】
Ｃ１，Ｃ２  容量
Ｌ１，Ｌ２  インダクタンス
ｂ１〜ｂ８，ｂ１１〜ｂ１５，ｂ２１〜ｂ２４，ｂ３０  ビアホール導体
１０ａ〜１０ｊ  アンテナ
１２ａ〜１２ｊ  本体
１４ａ〜１４ｃ，３４ａ，３４ｂ，４４ａ，４４ｂ  絶縁体層
１６，３６ａ，４６  放射導体
１８，２０，４０，４２，５３，５４  端子導体
２２，２２'，３６ｂ，５０，５６  接続導体
２４，２４'，２４ａ，３６ｃ，５２  線状導体
２６，２６'，３８，４８，４８' グランド導体
３５  導体
４６ａ  放射部
４６ｂ〜４６ｈ  脚部
【図１】
2011004656.tif 000003
【図２】
2011004656.tif 000004
【図３】
2011004656.tif 000005
【図４】
2011004656.tif 000006
【図５】
2011004656.tif 000007
【図６】
2011004656.tif 000008
【図７】
2011004656.tif 000009
【図８】
2011004656.tif 000010
【図９】
2011004656.tif 000011
【図１０】
2011004656.tif 000012
【図１１】
2011004656.tif 000013
【図１２】
2011004656.tif 000014
【図１３】
2011004656.tif 000015
【図１４】
2011004656.tif 000016
【図１５】
2011004656.tif 000017
【図１６】
2011004656.tif 000018
【図１７】
2011004656.tif 000019
【図１８】
2011004656.tif 000020
【図１９】
2011004656.tif 000021
【国際調査報告】
2011004656.tif 000022
2011004656.tif 000023
2011004656.tif 000024
2011004656.tif 000025